(57)【要約】【課題】分光分析を利用した検査に係る検査精度の向上等を図ることのできる検査装置、ＰＴＰ包装機及び検査方法を提供する。【解決手段】検査装置２２は、錠剤５に対し近赤外光を照射可能な照明装置５２と、錠剤５から反射される反射光を分光し撮像可能な撮像装置５３とを備え、該撮像装置５３により取得された分光画像データを基に錠剤５のスペクトルデータを取得し、該スペクトルデータに含まれる各波長帯域のスペクトル強度がそれぞれ許容範囲内にあるか否かを判定して、該錠剤５について良否判定を行う。また、検査装置２２は、良品と判定された錠剤５に係るスペクトルデータを時系列で順次記憶し、直近の所定数の良品の錠剤５に係るスペクトルデータを基に、各波長帯域ごとにスペクトル強度の平均値を算出し、これを基に各波長帯域に係る閾値を算出し、該閾値に基づいて、各波長帯域ごとに前記許容範囲を変更する。【選択図】      図５
2019174328.tif 000002
【特許請求の範囲】
【請求項１】
容器フィルムに形成されたポケット部に所定の内容物が収容され、該ポケット部を塞ぐようにカバーフィルムが取着されてなるＰＴＰシートの製造に際し用いられる検査装置であって、
前記内容物に対し近赤外光を照射可能な照射手段と、
前記近赤外光が照射された前記内容物から反射される反射光を分光可能な分光手段と、
前記分光手段にて分光された前記反射光の分光スペクトルを撮像可能な撮像手段と、
前記撮像手段により取得された分光画像データを基に、前記内容物のスペクトルデータを取得可能なスペクトルデータ取得手段と、
前記スペクトルデータ取得手段により取得された前記内容物のスペクトルデータを基に、前記内容物について所定の検査を実行可能な検査手段とを備え、
前記検査手段は、
前記スペクトルデータ取得手段により取得された前記内容物のスペクトルデータに含まれる複数の波長帯域のうちのＮ個（Ｎは１以上の自然数）の特定波長帯域におけるスペクトル強度がそれぞれ許容範囲内にあるか否かを判定することにより、前記内容物について良否判定可能な判定手段と、
前記判定手段により良品と判定された前記内容物のスペクトルデータを時系列で順次記憶可能なスペクトルデータ記憶手段と、
前記スペクトルデータ記憶手段に時系列で記憶された直近のＭ個（Ｍは２以上の自然数）の前記内容物のスペクトルデータを基に、前記Ｎ個の特定波長帯域ごとのスペクトル強度の平均値を算出する平均値算出手段と、
前記平均値算出手段により算出された前記Ｎ個の特定波長帯域ごとのスペクトル強度の平均値に基づいて、前記Ｎ個の特定波長帯域ごとに該特定波長帯域のスペクトル強度を判定するための閾値を算出する閾値算出手段と、
前記閾値算出手段により算出された前記Ｎ個の特定波長帯域ごとの各閾値に基づいて、前記Ｎ個の特定波長帯域ごとに前記許容範囲を変更可能な変更手段とを備えたことを特徴とする検査装置。
【請求項２】
前記検査手段は、
前記スペクトルデータ記憶手段に時系列で記憶された直近のＭ個の前記内容物のスペクトルデータを所定の処理において用いるにあたり、
前記Ｍ個の前記内容物のスペクトルデータのうち、所定のスペクトルデータ又は時系列的に連続した所定のスペクトルデータ群よりも、時系列的により直近のスペクトルデータ又は時系列的に連続しかつ時系列的により直近のスペクトルデータ群の反映される割合が大きくなるよう、所定の重み付け処理を実行可能な重み付け手段を備えていることを特徴とする請求項１に記載の検査装置。
【請求項３】
前記撮像手段は、複数位置に配置された前記内容物に係る反射光の分光スペクトルを同時に撮像可能に構成され、
前記検査手段が前記複数位置それぞれに対応して設けられていることを特徴とする請求項１又は２に記載の検査装置。
【請求項４】
容器フィルムに形成されたポケット部に所定の内容物が収容され、該ポケット部を塞ぐようにカバーフィルムが取着されてなるＰＴＰシートを製造するためのＰＴＰ包装機であって、
帯状の前記容器フィルムに対し前記ポケット部を形成するポケット部形成手段と、
前記ポケット部に前記内容物を充填する充填手段と、
前記ポケット部に前記内容物が収容された前記容器フィルムに対し、前記ポケット部を塞ぐようにして帯状の前記カバーフィルムを取着する取着手段と、
前記容器フィルムに前記カバーフィルムが取着された帯状体から前記ＰＴＰシートを切離す切離手段と、
前記内容物について検査を行う請求項１乃至３のいずれかに記載の検査装置とを備えたことを特徴とするＰＴＰ包装機。
【請求項５】
容器フィルムに形成されたポケット部に所定の内容物が収容され、該ポケット部を塞ぐようにカバーフィルムが取着されてなるＰＴＰシートの製造に際し、分光分析を利用して所定の検査を行うための検査方法であって、
前記内容物に対し近赤外光を照射可能な照射工程と、
前記近赤外光が照射された前記内容物から反射される反射光を分光可能な分光工程と、
前記分光工程にて分光された前記反射光の分光スペクトルを撮像可能な撮像工程と、
前記撮像工程にて取得された分光画像データを基に、前記内容物のスペクトルデータを取得可能なスペクトルデータ取得工程と、
前記スペクトルデータ取得工程にて取得された前記内容物のスペクトルデータに含まれる複数の波長帯域のうちのＮ個（Ｎは１以上の自然数）の特定波長帯域におけるスペクトル強度がそれぞれ許容範囲内にあるか否かを判定することにより、前記内容物について良否判定を行う判定工程と、
前記判定工程にて良品と判定された前記内容物のスペクトルデータを時系列で順次記憶するスペクトルデータ記憶工程と、
前記スペクトルデータ記憶工程により時系列で記憶された直近のＭ個（Ｍは２以上の自然数）の前記内容物のスペクトルデータを基に、前記Ｎ個の特定波長帯域ごとのスペクトル強度の平均値を算出する平均値算出工程と、
前記平均値算出工程にて算出された前記Ｎ個の特定波長帯域ごとのスペクトル強度の平均値に基づいて、前記Ｎ個の特定波長帯域ごとに該特定波長帯域のスペクトル強度を判定するための閾値を算出する閾値算出工程と、
前記閾値算出工程にて算出された前記Ｎ個の特定波長帯域ごとの各閾値に基づいて、前記Ｎ個の特定波長帯域ごとに前記許容範囲を変更する変更工程とを備えたことを特徴とする検査方法。
【発明の詳細な説明】
【技術分野】
【０００１】
本発明は、分光分析を利用して異品種の混入検査等を行う検査装置、及び、これを備えたＰＴＰ包装機、並びに、検査方法に関するものである。
【背景技術】
【０００２】
一般に医薬品等の分野において用いられるブリスターパックシートとしてＰＴＰ（プレススルーパック）シートが知られている。
【０００３】
ＰＴＰシートは、錠剤等の内容物が収容されるポケット部が形成された容器フィルムと、その容器フィルムに対しポケット部の開口側を密封するように取着されるカバーフィルムとから構成されている。
【０００４】
ＰＴＰシートの製造に際しては、分光分析を利用して内容物の異品種混入検査が行われる場合がある。
【０００５】
かかる検査を行う検査装置として、例えば搬送される容器フィルムのポケット部に充填された錠剤に対し近赤外光を照射し、その反射光を分光器により分光し、それを撮像して得られるスペクトルデータを基に、錠剤の種類を判別する検査装置が知られている（例えば、特許文献１参照）。
【０００６】
特許文献１に係る検査装置では、検査に係る錠剤のスペクトルデータにおける特定波長の強度等と、予め記憶部に記憶したデータとを照合して、錠剤の種類を判別する構成となっている。
【０００７】
尚、分光分析を利用した検査分野においては、予め測定した複数の対象物に係るスペクトルデータの平均値及び標準偏差を基に、検査に係る対象物のスペクトルデータの許容範囲（許容範囲を定める閾値）を予め設定しておく方法なども知られている（例えば、特許文献２参照）。
【先行技術文献】
【特許文献】
【０００８】
【特許文献１】国際公開第２０１３／００２２９１号
【特許文献２】国際公開第２０１７／０９４１８８号
【発明の概要】
【発明が解決しようとする課題】
【０００９】
しかしながら、検査装置の照明や撮像素子は、温度等の環境的要因あるいは経時的要因により輝度や感度、波長特性などが徐々に変化するという問題がある。
【００１０】
また、ＰＴＰシートに充填される内容物は、良品と言えども、生産ロット毎に分光分析結果が微妙に変化する。例えば錠剤は、打錠時の条件（材料の粒径や混ざり具合、打錠圧等の要因）や打錠後の条件（温度、湿度、経時等）により、良品に係る分光分析結果が微妙に変化する。
【００１１】
ここで、上述したような検査装置の変化と、内容物自体の変化を考慮した上で、内容物に係る良品錯誤率(良品を不良品と誤る確率)の上昇を抑えようとした場合には、例えば良品の許容範囲を定める下記式（Ａ１）の係数Ｋを比較的大きな値に設定するといったように、予め許容範囲の幅を比較的大きく設定しておく必要があり、不良品錯誤率(不良品を良品と誤る確率)が上昇するおそれがある。ＰＴＰシートの製造分野、特に医薬品等の分野において、不良品錯誤率は、限りなく「０」に近いことが望まれる。
【００１２】
Ｌ＝μ±Ｋ×σ  ・・・（Ａ１）
ここで、「Ｌ」は許容範囲（上限閾値及び下限閾値）、「Ｋ」は係数、「μ」は平均値、「σ」は標準偏差を示す。
【００１３】
つまり、従来のように、検査に係る内容物のスペクトルデータの許容範囲（許容範囲を定める閾値）が予め設定された設置値のまま固定されている構成では、内容物に係る良品錯誤率の上昇を抑えつつ、不良品錯誤率の上昇を抑えることが難しく、検査精度が低下するおそれがある。
【００１４】
本発明は、上記事情に鑑みてなされたものであり、その目的は、分光分析を利用した検査に係る検査精度の向上等を図ることのできる検査装置、ＰＴＰ包装機及び検査方法を提供することにある。
【課題を解決するための手段】
【００１５】
以下、上記課題を解決するのに適した各手段につき項分けして説明する。なお、必要に応じて対応する手段に特有の作用効果を付記する。
【００１６】
手段１．容器フィルムに形成されたポケット部に所定の内容物が収容され、該ポケット部を塞ぐようにカバーフィルムが取着されてなるＰＴＰシートの製造に際し用いられる検査装置であって、
前記内容物に対し近赤外光を照射可能な照射手段と、
前記近赤外光が照射された前記内容物から反射される反射光を分光可能な分光手段と、
前記分光手段にて分光された前記反射光の分光スペクトルを撮像可能な撮像手段と、
前記撮像手段により取得された分光画像データを基に、前記内容物のスペクトルデータを取得可能なスペクトルデータ取得手段と、
前記スペクトルデータ取得手段により取得された前記内容物のスペクトルデータを基に、前記内容物について所定の検査（例えば異品種混入検査）を実行可能な検査手段とを備え、
前記検査手段は、
前記スペクトルデータ取得手段により取得された前記内容物のスペクトルデータに含まれる複数の波長帯域のうちのＮ個（Ｎは１以上の自然数）の特定波長帯域におけるスペクトル強度がそれぞれ許容範囲内にあるか否かを判定することにより、前記内容物について良否判定可能な判定手段と、
前記判定手段により良品と判定された前記内容物のスペクトルデータを時系列で順次記憶可能なスペクトルデータ記憶手段と、
前記スペクトルデータ記憶手段に時系列で記憶された直近のＭ個（Ｍは２以上の自然数）の前記内容物のスペクトルデータを基に、前記Ｎ個の特定波長帯域ごとのスペクトル強度の平均値を算出する平均値算出手段と、
前記平均値算出手段により算出された前記Ｎ個の特定波長帯域ごとのスペクトル強度の平均値に基づいて、前記Ｎ個の特定波長帯域ごとに該特定波長帯域のスペクトル強度を判定するための閾値（上限閾値及び／又は下限閾値）を算出する閾値算出手段と、
前記閾値算出手段により算出された前記Ｎ個の特定波長帯域ごとの各閾値に基づいて、前記Ｎ個の特定波長帯域ごとに前記許容範囲を変更可能な変更手段とを備えたことを特徴とする検査装置。
【００１７】
上記手段１によれば、分光分析を利用した異品種混入検査等を連続して実行しつつ、直近の良品の内容物に係る分光分析結果をフィードバックして、内容物のスペクトルデータの許容範囲を随時変更していくことができる。
【００１８】
これにより、検査装置や内容物の経時的変化等に対応して、検査時において、より適した許容範囲で、検査に係る内容物のスペクトルデータの良否判定を行うことができる。
【００１９】
結果として、予め許容範囲の幅を比較的大きく設定しておく必要もなく、内容物に係る良品錯誤率の上昇を抑えつつ、不良品錯誤率の上昇を抑えることが可能となり、検査精度の向上を図ることができる。
【００２０】
但し、照射手段から出射される近赤外光に含まれる各波長帯域のスペクトル強度は均一ではないため、分光スペクトルを撮像する撮像手段の感度（受光量）及びその経時的変化等も波長帯域ごとに異なる。
【００２１】
これに対し、本手段１においては、Ｎ個の特定波長帯域ごとにスペクトル強度の許容範囲が設定されると共に、該許容範囲を各特定波長帯域ごとに変更可能な構成となっている。これにより、検査装置や内容物の経時的変化等に対し、各特定波長帯域ごとに、より細かく対応することが可能となり、さらなる検査精度の向上を図ることができる。
【００２２】
尚、上記手段１において、例えば「前記スペクトルデータ記憶手段に時系列で記憶された直近のＭ個（Ｍは２以上の自然数）の前記内容物のスペクトルデータを基に、前記Ｎ個の特定波長帯域ごとのスペクトル強度の標準偏差を算出する標準偏差算出手段」を備え、
上記「閾値算出手段」が、「前記平均値算出手段により算出された前記Ｎ個の特定波長帯域ごとのスペクトル強度の平均値、及び、前記標準偏差算出手段により算出された前記Ｎ個の特定波長帯域ごとのスペクトル強度の標準偏差に基づいて、前記Ｎ個の特定波長帯域ごとに該特定波長帯域のスペクトル強度を判定するための閾値（上限閾値及び／又は下限閾値）を算出する」構成としてもよい。
【００２３】
手段２．前記検査手段は、
前記スペクトルデータ記憶手段に時系列で記憶された直近のＭ個の前記内容物のスペクトルデータを所定の処理（例えば平均値算出手段による平均値算出処理など）において用いるにあたり、
前記Ｍ個の前記内容物のスペクトルデータのうち、所定のスペクトルデータ又は時系列的に連続した所定のスペクトルデータ群よりも、時系列的により直近のスペクトルデータ又は時系列的に連続しかつ時系列的により直近のスペクトルデータ群の反映される割合が大きくなるよう、所定の重み付け処理を実行可能な重み付け手段を備えていることを特徴とする手段１に記載の検査装置。
【００２４】
上記手段２によれば、例えば時系列的に古い第１のスペクトルデータよりも時系列的に新しい第２のスペクトルデータを２倍（内容物２つ分）に換算するなどの重み付け処理が実行可能となる。
【００２５】
これにより、検査時の状況に、より適した許容範囲を設定することが可能となり、さらなる検査精度の向上を図ることができる。
【００２６】
手段３．前記撮像手段は、複数位置（例えば内容物の搬送方向と直交する方向における複数位置）に配置された前記内容物に係る反射光の分光スペクトルを同時に撮像可能に構成され、
前記検査手段（前記判定手段、前記スペクトルデータ記憶手段、前記平均値算出手段、前記閾値算出手段、及び、前記変更手段）が前記複数位置それぞれに対応して設けられていることを特徴とする手段１又は２に記載の検査装置。
【００２７】
照射手段から撮像領域に照射される近赤外光の輝度ムラや、撮像手段の撮像素子（ＣＣＤエリアセンサ等）を構成する複数の受光素子の特性に基づく感度のばらつき等によって、撮像素子における感度（受光量）及びその経時的変化等も座標位置ごとに異なる。
【００２８】
これに対し、上記手段３によれば、複数位置の内容物に係る検査を個別に実行することができる。
【００２９】
つまり、複数位置それぞれに対応して設定されたスペクトルデータの許容範囲を基に、各位置における内容物の良否判定が行われると共に、良品内容物のスペクトルデータを時系列で順次記憶するスペクトルデータ記憶手段を複数位置それぞれに対応して個別に備え、該スペクトルデータ記憶手段に記憶されたスペクトルデータを基に、上記スペクトル強度の平均値の算出、上記閾値の算出、上記許容範囲の変更などの処理を各位置ごとに個別に実行する構成となっている。
【００３０】
結果として、検査装置や内容物の経時的変化等に対し、各位置ごとに、より細かく対応することが可能となり、さらなる検査精度の向上を図ることができる。
【００３１】
手段４．容器フィルムに形成されたポケット部に所定の内容物が収容され、該ポケット部を塞ぐようにカバーフィルムが取着されてなるＰＴＰシートを製造するためのＰＴＰ包装機であって、
帯状の前記容器フィルムに対し前記ポケット部を形成するポケット部形成手段と、
前記ポケット部に前記内容物を充填する充填手段と、
前記ポケット部に前記内容物が収容された前記容器フィルムに対し、前記ポケット部を塞ぐようにして帯状の前記カバーフィルムを取着する取着手段と、
前記容器フィルムに前記カバーフィルムが取着された帯状体（帯状のＰＴＰフィルム）から前記ＰＴＰシートを切離す切離手段（シート単位に打抜く打抜手段を含む）と、
前記内容物について検査を行う上記手段１乃至３のいずれかに記載の検査装置とを備えたことを特徴とするＰＴＰ包装機。
【００３２】
上記手段４のように、上記手段１等に係る検査装置をＰＴＰ包装機に備えることで、ＰＴＰシートの製造過程において異品種を含む不良品を精度よく除外できる等のメリットが生じる。また、ＰＴＰ包装機は、上記検査装置によって不良と判定されたＰＴＰシートを排出する排出手段を備える構成としてもよい。
【００３３】
尚、上記手段４において、上記検査装置を「充填手段によりポケット部に内容物が充填される前工程」に配置した構成としてもよい。かかる場合、ポケット部に充填される前段階に異品種を排除することが可能となり、不良品となるＰＴＰシートを低減することができる。
【００３４】
また、上記検査装置を「充填手段によりポケット部に内容物が充填された後工程かつ取着手段によりカバーフィルムが取着される前工程」に配置した構成としてもよい。かかる場合、内容物を遮るものがない状態で検査を実行することができ、さらなる検査精度の向上を図ることができる。
【００３５】
また、上記検査装置を「取着手段によりカバーフィルムが取着された後工程かつ切離手段によりＰＴＰシートが切離される前工程」に配置した構成としてもよい。かかる場合、内容物が入れ替わることがない状態で検査を実行することができ、さらなる検査精度の向上を図ることができる。
【００３６】
また、上記検査装置を「切離手段によりＰＴＰシートが切離された後工程」に配置した構成としてもよい。かかる場合、不良品が混ざっていないかを最終段階で確認することができる。
【００３７】
手段５．容器フィルムに形成されたポケット部に所定の内容物が収容され、該ポケット部を塞ぐようにカバーフィルムが取着されてなるＰＴＰシートの製造に際し、分光分析を利用して所定の検査（例えば異品種混入検査）を行うための検査方法であって、
前記内容物に対し近赤外光を照射可能な照射工程と、
前記近赤外光が照射された前記内容物から反射される反射光を分光可能な分光工程と、
前記分光工程にて分光された前記反射光の分光スペクトルを撮像可能な撮像工程と、
前記撮像工程にて取得された分光画像データを基に、前記内容物のスペクトルデータを取得可能なスペクトルデータ取得工程と、
前記スペクトルデータ取得工程にて取得された前記内容物のスペクトルデータに含まれる複数の波長帯域のうちのＮ個（Ｎは１以上の自然数）の特定波長帯域におけるスペクトル強度がそれぞれ許容範囲内にあるか否かを判定することにより、前記内容物について良否判定を行う判定工程と、
前記判定工程にて良品と判定された前記内容物のスペクトルデータを時系列で順次記憶するスペクトルデータ記憶工程と、
前記スペクトルデータ記憶工程により時系列で記憶された直近のＭ個（Ｍは２以上の自然数）の前記内容物のスペクトルデータを基に、前記Ｎ個の特定波長帯域ごとのスペクトル強度の平均値を算出する平均値算出工程と、
前記平均値算出工程にて算出された前記Ｎ個の特定波長帯域ごとのスペクトル強度の平均値に基づいて、前記Ｎ個の特定波長帯域ごとに該特定波長帯域のスペクトル強度を判定するための閾値（上限閾値及び／又は下限閾値）を算出する閾値算出工程と、
前記閾値算出工程にて算出された前記Ｎ個の特定波長帯域ごとの各閾値に基づいて、前記Ｎ個の特定波長帯域ごとに前記許容範囲を変更する変更工程とを備えたことを特徴とする検査方法。
【００３８】
上記手段５によれば、上記手段１と同様の作用効果が奏される。
【００３９】
尚、上記手段５において、例えば「前記スペクトルデータ記憶工程により時系列で記憶された直近のＭ個（Ｍは２以上の自然数）の前記内容物のスペクトルデータを基に、前記Ｎ個の特定波長帯域ごとのスペクトル強度の標準偏差を算出する標準偏差算出工程」を備え、
上記「閾値算出工程」において、「前記平均値算出工程にて算出された前記Ｎ個の特定波長帯域ごとのスペクトル強度の平均値、及び、前記標準偏差算出工程にて算出された前記Ｎ個の特定波長帯域ごとのスペクトル強度の標準偏差に基づいて、前記Ｎ個の特定波長帯域ごとに該特定波長帯域のスペクトル強度を判定するための閾値（上限閾値及び／又は下限閾値）を算出する」構成としてもよい。
【図面の簡単な説明】
【００４０】
【図１】（ａ）はＰＴＰシートを示す斜視図であり、（ｂ）はＰＴＰフィルムを示す斜視図である。
【図２】ＰＴＰシートのポケット部の部分拡大断面図である。
【図３】ＰＴＰ包装機の概略構成を示す模式図である。
【図４】検査装置の電気的構成を示すブロック図である。
【図５】検査装置の配置構成を模式的に示す斜視図である。
【図６】撮像装置の概略構成を示す模式図である。
【図７】測定ルーチンを示すフローチャートである。
【図８】撮像素子に投射された分光スペクトルを示す模式図である。
【図９】搬送方向撮像範囲と錠剤等との関係を説明するための説明図である。
【図１０】スペクトル画像を示す模式図である。
【図１１】検査ルーチンを示すフローチャートである。
【図１２】搬送方向撮像範囲とスペクトル画像との関係を説明するための説明図である。
【図１３】分析処理を示すフローチャートである。
【図１４】テーブル変更処理を示すフローチャートである。
【図１５】一部の良品データにおける一部の波長帯域に係るスペクトル強度、平均スペクトル強度及び標準偏差を例示した表である。
【発明を実施するための形態】
【００４１】
以下に、一実施形態について図面を参照しつつ説明する。まずＰＴＰシートの構成について詳しく説明する。
【００４２】
図１，２に示すように、ＰＴＰシート１は、複数のポケット部２を備えた容器フィルム３と、ポケット部２を塞ぐようにして容器フィルム３に取着されたカバーフィルム４とを有している。
【００４３】
本実施形態における容器フィルム３は、例えばＰＰ（ポリプロピレン）やＰＶＣ（ポリ塩化ビニル）等の透明の熱可塑性樹脂材料により形成され、透光性を有している。一方、カバーフィルム４は、例えばポリプロピレン樹脂等からなるシーラントが表面に設けられた不透明材料（例えばアルミニウム箔等）により構成されている。
【００４４】
ＰＴＰシート１は、平面視略矩形状に形成されている。ＰＴＰシート１には、その長手方向に沿って配列された５個のポケット部２からなるポケット列が、その短手方向に２列形成されている。つまり、計１０個のポケット部２が形成されている。各ポケット部２には、内容物として錠剤５が１つずつ収容されている。
【００４５】
ＰＴＰシート１〔図１（ａ）参照〕は、帯状の容器フィルム３及び帯状のカバーフィルム４から形成された帯状のＰＴＰフィルム６〔図１（ｂ）参照〕がシート状に打抜かれることにより製造される。
【００４６】
次に、上記ＰＴＰシート１を製造するＰＴＰ包装機１０の概略構成について図３を参照して説明する。
【００４７】
図３に示すように、ＰＴＰ包装機１０の最上流側では、帯状の容器フィルム３の原反がロール状に巻回されている。ロール状に巻回された容器フィルム３の引出し端側は、ガイドロール１３に案内されている。容器フィルム３は、ガイドロール１３の下流側において間欠送りロール１４に掛装されている。間欠送りロール１４は、間欠的に回転するモータに連結されており、容器フィルム３を間欠的に搬送する。
【００４８】
ガイドロール１３と間欠送りロール１４との間には、容器フィルム３の搬送経路に沿って、加熱装置１５及びポケット部形成装置１６が順に配設されている。そして、加熱装置１５によって容器フィルム３が加熱されて該容器フィルム３が比較的柔軟になった状態において、ポケット部形成装置１６によって容器フィルム３の所定位置に複数のポケット部２が成形される（ポケット部形成工程）。加熱装置１５及びポケット部形成装置１６によって、本実施形態におけるポケット部形成手段が構成される。ポケット部２の形成は、間欠送りロール１４による容器フィルム３の搬送動作間のインターバルの際に行われる。
【００４９】
間欠送りロール１４から送り出された容器フィルム３は、テンションロール１８、ガイドロール１９及びフィルム受けロール２０の順に掛装されている。フィルム受けロール２０は、一定回転するモータに連結されているため、容器フィルム３を連続的に且つ一定速度で搬送する。テンションロール１８は、容器フィルム３を弾性力によって緊張する側へ引っ張った状態とされており、前記間欠送りロール１４とフィルム受けロール２０との搬送動作の相違による容器フィルム３の撓みを防止して容器フィルム３を常時緊張状態に保持する。
【００５０】
ガイドロール１９とフィルム受けロール２０との間には、容器フィルム３の搬送経路に沿って、錠剤充填装置２１が配設されている。錠剤充填装置２１は、ポケット部２に錠剤５を自動的に充填する充填手段としての機能を有する。錠剤充填装置２１は、フィルム受けロール２０による容器フィルム３の搬送動作と同期して、所定間隔毎にシャッタを開くことで錠剤５を落下させるものであり、このシャッタ開放動作に伴って各ポケット部２に錠剤５が充填される（充填工程）。
【００５１】
錠剤充填装置２１とフィルム受けロール２０との間には、容器フィルム３の搬送経路に沿って検査装置２２が配設されている。検査装置２２は、分光分析を利用して検査を行う分光分析装置であって、異品種の混入を検査するためのものである。検査装置２２の詳細については後述する。
【００５２】
一方、帯状に形成されたカバーフィルム４の原反は、最上流側においてロール状に巻回されている。
【００５３】
ロール状に巻回されたカバーフィルム４の引出し端は、ガイドロール２４に案内され、加熱ロール２５の方へと案内されている。加熱ロール２５は、前記フィルム受けロール２０に圧接可能となっており、両ロール２０，２５間に容器フィルム３及びカバーフィルム４が送り込まれるようになっている。
【００５４】
そして、容器フィルム３及びカバーフィルム４が、両ロール２０，２５間を加熱圧接状態で通過することで、容器フィルム３にカバーフィルム４が貼着され、ポケット部２がカバーフィルム４で塞がれる（取着工程）。これにより、錠剤５が各ポケット部２に収容された帯状体としてのＰＴＰフィルム６が製造されるようになっている。加熱ロール２５の表面には、シール用の網目状の微細な凸条が形成されており、これが強く圧接することで、強固なシールが実現されるようになっている。フィルム受けロール２０及び加熱ロール２５により本実施形態における取着手段が構成される。
【００５５】
フィルム受けロール２０から送り出されたＰＴＰフィルム６は、テンションロール２７及び間欠送りロール２８の順に掛装されている。間欠送りロール２８は、間欠的に回転するモータに連結されているため、ＰＴＰフィルム６を間欠的に搬送する。テンションロール２７は、ＰＴＰフィルム６を弾性力によって緊張する側へ引っ張った状態とされており、前記フィルム受けロール２０と間欠送りロール２８との搬送動作の相違によるＰＴＰフィルム６の撓みを防止してＰＴＰフィルム６を常時緊張状態に保持する。
【００５６】
間欠送りロール２８から送り出されたＰＴＰフィルム６は、テンションロール３１及び間欠送りロール３２の順に掛装されている。間欠送りロール３２は、間欠的に回転するモータに連結されているため、ＰＴＰフィルム６を間欠的に搬送する。テンションロール３１は、ＰＴＰフィルム６を弾性力によって緊張する側へ引っ張った状態とされており、前記間欠送りロール２８，３２間でのＰＴＰフィルム６の撓みを防止する。
【００５７】
間欠送りロール２８とテンションロール３１との間には、ＰＴＰフィルム６の搬送経路に沿って、スリット形成装置３３及び刻印装置３４が順に配設されている。スリット形成装置３３は、ＰＴＰフィルム６の所定位置に切離用スリットを形成する機能を有する。また、刻印装置３４はＰＴＰフィルム６の所定位置（例えばタグ部）に刻印を付す機能を有する。
【００５８】
間欠送りロール３２から送り出されたＰＴＰフィルム６は、その下流側においてテンションロール３５及び連続送りロール３６の順に掛装されている。間欠送りロール３２とテンションロール３５との間には、ＰＴＰフィルム６の搬送経路に沿って、シート打抜装置３７が配設されている。シート打抜装置３７は、ＰＴＰフィルム６をＰＴＰシート１単位にその外縁を打抜くシート打抜手段（切離手段）としての機能を有する。
【００５９】
シート打抜装置３７によって打抜かれたＰＴＰシート１は、コンベア３９によって搬送され、完成品用ホッパ４０に一旦貯留される（切離工程）。但し、上記検査装置２２によって不良品と判定された場合、その不良品と判定されたＰＴＰシート１は、完成品用ホッパ４０へ送られることなく、図示しない排出手段としての不良シート排出機構によって別途排出される。
【００６０】
前記連続送りロール３６の下流側には、裁断装置４１が配設されている。そして、シート打抜装置３７による打抜き後に帯状に残った残材部（スクラップ部）を構成する不要フィルム部４２は、前記テンションロール３５及び連続送りロール３６に案内された後、裁断装置４１に導かれる。なお、前記連続送りロール３６は従動ロールが圧接されており、前記不要フィルム部４２を挟持しながら搬送動作を行う。裁断装置４１では、不要フィルム部４２を所定寸法に裁断しスクラップ処理する機能を有する。このスクラップはスクラップ用ホッパ４３に貯留された後、別途廃棄処理される。
【００６１】
なお、上記各ロール１４，２０，２８，３１，３２などは、そのロール表面とポケット部２とが対向する位置関係となっているが、間欠送りロール１４等の表面には、ポケット部２が収容される凹部が形成されているため、ポケット部２が潰れてしまうことがない。また、ポケット部２が間欠送りロール１４等の各凹部に収容されながら送り動作が行われることで、間欠送り動作や連続送り動作が確実に行われる。
【００６２】
ＰＴＰ包装機１０の概略は以上のとおりであるが、以下に上記検査装置２２の構成について図面を参照して詳しく説明する。図４は検査装置２２の電気的構成を示すブロック図であり、図５は検査装置２２の配置構成を模式的に示す斜視図である。
【００６３】
図４，５に示すように、検査装置２２は、照明装置５２と、撮像装置５３と、照明装置５２や撮像装置５３の駆動制御など検査装置２２内における各種制御や画像処理、演算処理等を実施する制御処理装置５４とを備えている。
【００６４】
照明装置５２及び撮像装置５３は、容器フィルム３のポケット部２開口部側に配置されている。つまり、本実施形態では、カバーフィルム４が取着される前段階における容器フィルム３のポケット部２開口部側から異品種混入検査が行われる。
【００６５】
照明装置５２は、近赤外光を照射可能に構成された公知のものであり、本実施形態における照射手段を構成する。照明装置５２は、連続搬送される容器フィルム３上の所定領域へ向け斜め上方から近赤外光を照射可能に配置されている。
【００６６】
本実施形態に係る照明装置５２では、連続スペクトルを持つ近赤外光（例えば波長７００〜２５００ｎｍの近赤外領域）を出射可能な光源としてハロゲンランプを採用している。この他、光源としては、重水素放電管、タングステンランプ、キセノンランプなどを用いることができる。
【００６７】
図６に示すように、撮像装置５３は、光学レンズ６１と、分光手段としての二次元分光器６２と、撮像手段としてのカメラ６３とを備えている。
【００６８】
光学レンズ６１は、図示しない複数のレンズ等により構成され、入射光を平行光化可能に構成されている。光学レンズ６１は、その光軸が鉛直方向（Ｚ方向）に沿って設定されている。
【００６９】
また、光学レンズ６１は、入射光を後述する二次元分光器６２のスリット６２ａの位置に結像可能なように設定されている。尚、ここでは便宜上、光学レンズ６１として両側テレセントリックレンズを採用した例を示すが、当然、像側テレセントリックレンズであってもよい。
【００７０】
二次元分光器６２は、スリット６２ａと、入射側レンズ６２ｂと、分光部６２ｃと、出射側レンズ６２ｄとから構成されている。分光部６２ｃは、入射側プリズム６２ｃａと、透過型回折格子６２ｃｂと、出射側プリズム６２ｃｃとから構成されている。
【００７１】
かかる構成の下、スリット６２ａを通過した光は、入射側レンズ６２ｂにより平行光化された後、分光部６２ｃにより分光され、出射側レンズ６２ｄによって後述するカメラ６３の撮像素子６５に二次元分光画像（分光スペクトル像）として結像される。
【００７２】
スリット６２ａは、細長い略矩形状（線状）に開口形成され、その開口幅方向（短手方向）が容器フィルム３のフィルム搬送方向（Ｙ方向）に沿って配設され、その長手方向が前記搬送方向と直交する容器フィルム３のフィルム幅方向（Ｘ方向）に沿って配設されている。これにより、二次元分光器６２は、スリット６２ａの開口幅方向すなわちフィルム搬送方向（Ｙ方向）に入射光を分光することとなる。つまり、フィルム搬送方向（Ｙ方向）が本実施形態における波長分散方向となる。
【００７３】
カメラ６３は、複数の受光素子（受光部）６４が行列状に二次元配列された受光面６５ａを有する撮像素子６５を備えている。本実施形態では、撮像素子６５として、近赤外領域のうち例えば波長１３００〜２０００ｎｍの波長範囲に対して十分な感度を有した公知のＣＣＤエリアセンサを採用している。
【００７４】
ＣＣＤエリアセンサとしては、例えば行列状に２次元配置されかつ入射光をその光量に応じた電荷に変換して蓄積する光電変換素子（例えばフォトダイオード）からなる複数の受光素子と、該各受光素子に蓄積された電荷を垂直方向に順次転送する複数の垂直転送部と、該垂直転送部から転送される電荷を水平方向に順次転送する水平転送部と、該水平転送部から転送される電荷を電圧に変換し増幅して出力する出力アンプとを備えたものが一般に知られている。
【００７５】
勿論、撮像素子は、これに限定されるものではなく、近赤外領域に感度を持つ他のセンサを採用してもよい。例えばＣＭＯＳセンサやＭＣＴ（ＨｇＣｄＴｅ）センサ等を採用してもよい。
【００７６】
撮像装置５３の視野領域（撮像領域）は、フィルム幅方向（Ｘ方向）に沿って延びる線状の領域であって、少なくとも容器フィルム３のフィルム幅方向全域を含む領域となる（図５の２点鎖線部参照）。一方、フィルム搬送方向（Ｙ方向）における撮像装置５３の視野領域は、スリット６２ａの開口幅に相当する領域となる。つまり、スリット６２ａを通過した光（スリット光）が撮像素子６５の受光面６５ａ上に像を結ぶ領域である。
【００７７】
これにより、容器フィルム３のフィルム幅方向（Ｘ方向）の各位置で反射した反射光の分光スペクトルの各波長帯域（例えば１０〜２０ｎｍ帯域幅毎）を撮像素子６５の各受光素子６４がそれぞれ受光することとなる。そして、各受光素子６４が受光した光の強度に応じた信号が、デジタル信号に変換された上でカメラ６３から制御処理装置５４に対し出力される。つまり、撮像素子６５の受光面６５ａ全体で撮像された１画面分の画像信号（分光画像データ）が制御処理装置５４へ出力されることとなる。
【００７８】
制御処理装置５４は、検査装置２２全体の制御を司るＣＰＵ及び入出力インターフェース７１（以下、「ＣＰＵ等７１」という）、キーボードやマウス、タッチパネル等で構成される「入力手段」としての入力装置７２、ＣＲＴや液晶などの表示画面を有する「表示手段」としての表示装置７３、各種画像データ等を記憶するための画像データ記憶装置７４、各種演算結果等を記憶するための演算結果記憶装置７５、各種情報を予め記憶しておくための設定データ記憶装置７６などを備えている。尚、これら各装置７２〜７６は、ＣＰＵ等７１に対し電気的に接続されている。
【００７９】
ＣＰＵ等７１は、ＰＴＰ包装機１０と各種信号を送受信可能に接続されている。これにより、例えばＰＴＰ包装機１０の不良シート排出機構などを制御することができる。
【００８０】
画像データ記憶装置７４は、撮像装置５３により取得される分光画像データ、該分光画像データを基に取得されるスペクトル画像データ、二値化処理された後の二値化画像データなどを記憶するためのものである。
【００８１】
演算結果記憶装置７５は、検査結果データや、該検査結果データを確率統計的に処理した統計データなどを記憶するものである。これらの検査結果データや統計データは、適宜表示装置７３に表示させることができる。
【００８２】
設定データ記憶装置７６は、例えばＰＴＰシート１、ポケット部２及び錠剤５の形状及び寸法、錠剤５の良否判定を行うためのスペクトル許容範囲テーブルなどを記憶するものである。
【００８３】
次に検査装置２２によって行われる異品種混入検査（検査工程）の手順について説明する。
【００８４】
まず、スペクトルデータを取得する測定ルーチンについて、図７のフローチャートを参照して説明する。尚、本ルーチンは、容器フィルム３が所定量搬送される毎に繰り返し実行される処理である。
【００８５】
制御処理装置５４は、まずステップＳ０１において、連続搬送される容器フィルム３（錠剤５）に対し照明装置５２から近赤外光を照射しつつ（照射工程）、撮像装置５３による撮像処理（露光処理）を実行する。
【００８６】
ここで、制御処理装置５４は、ＰＴＰ包装機１０に設けられた図示しないエンコーダからの信号に基づいて撮像装置５３を駆動制御し、該撮像装置５３が撮像する分光画像データを画像データ記憶装置７４に取り込む。
【００８７】
これにより、照明装置５２から容器フィルム３に向け照射された近赤外光のうち、ステップＳ０１の撮像処理の実行期間（露光期間）中において、搬送方向撮像範囲Ｗ（図９参照）にて反射した反射光が撮像装置５３に入射する。つまり、１回の撮像処理で搬送方向撮像範囲Ｗが撮像されることとなる。
【００８８】
撮像装置５３に入射した反射光は二次元分光器６２により分光され（分光工程）、カメラ６３の撮像素子６５により分光画像（分光スペクトル）として撮像される（撮像工程）。尚、撮像処理の実行期間（露光期間）中、容器フィルム３（錠剤５）は連続搬送されているため、ここでは、搬送方向撮像範囲Ｗの平均化された分光スペクトルが撮像されることなる（図８参照）。
【００８９】
図８は、錠剤５上の所定位置にて反射した反射光の分光スペクトルＨが撮像素子６５の受光面６５ａに投射された状態を示す模式図である。図８においては、便宜上、錠剤５に係る分光スペクトルＨのみ図示し、その他の部位（容器フィルム３等）に係る分光スペクトルについては図示を省略している。
【００９０】
撮像装置５３により撮像された分光画像（分光スペクトル）データは、インターバル期間中に制御処理装置５４へ出力され、画像データ記憶装置７４に記憶される。尚、ここでいうインターバル期間とは、画像データの読出期間のことである。つまり、撮像装置５３による撮像サイクルは、撮像処理の実行期間である露光期間と、インターバル期間の合計時間で表すことができる。
【００９１】
制御処理装置５４は、分光画像データが取得されると、ステップＳ０２のデータ生成処理を開始する。
【００９２】
データ生成処理では、ステップＳ０１において取得した分光画像データを基にスペクトルデータを生成する。制御処理装置５４は、スペクトルデータが生成されると、これを画像データ記憶装置７４に記憶し、本ルーチンを一旦終了する。かかる工程が本実施形態におけるスペクトルデータ取得工程に相当し、これを実行する制御処理装置５４の処理機能により、本実施形態におけるスペクトルデータ取得手段が構成されることとなる。
【００９３】
そして、図９に示すように、容器フィルム３（錠剤５）が所定量搬送される毎に、搬送方向撮像範囲Ｗが断続的に相対移動していき、上記測定ルーチンが繰り返されることにより、画像データ記憶装置７４には、各搬送方向撮像範囲Ｗに対応するスペクトルデータがフィルム搬送方向（Ｙ方向）及びフィルム幅方向（Ｘ方向）の位置情報と共に時系列に順次記憶されていく。これにより、画素毎にスペクトルデータを有した二次元的なスペクトル画像Ｑが生成されていくこととなる（図１０参照）。
【００９４】
ここで、本実施形態におけるスペクトル画像Ｑについて説明する。図１０に示すように、スペクトル画像Ｑは、複数の画素Ｑａが二次元配列された画像データである。各画素Ｑａには、それぞれスペクトルデータ〔所定数ｎ個（例えばｎ＝１００バンド）の波長帯域におけるスペクトル強度（輝度値）を示すデータ〕が含まれている。
【００９５】
そして、検査対象となる１つ分のＰＴＰシート１に相当する所定の検査範囲（図１０の二点鎖線部参照）のスペクトル画像Ｑが取得されると、制御処理装置５４は検査ルーチンを実行する。
【００９６】
ここで、検査ルーチンについて図１１のフローチャートを参照して説明する。尚、本ルーチンは、上記検査範囲のスペクトル画像Ｑが取得される毎に繰り返し行われるものである。
【００９７】
制御処理装置５４は、まずステップＳ１１において錠剤画素抽出処理を実行する。本処理においては、スペクトル画像Ｑの各画素Ｑａのうち、分析対象となる錠剤５に対応する画素（以下、「錠剤画素」という）Ｑｂを抽出する。
【００９８】
本実施形態では、例えば各画素Ｑａのスペクトルデータ中の所定波長のスペクトル強度（輝度値）が予め定めた閾値以上であるか否かを判定し、スペクトル画像Ｑに対し二値化処理を行う。そして、得られた二値化画像データを基に錠剤画素Ｑｂを抽出する（図１０，１２参照）。
【００９９】
図１２に示すように、本実施形態では、背景の影響を受けることなく錠剤５の範囲のみを撮像したデータを含んだ画素Ｑａが錠剤画素Ｑｂとして抽出される。図１２は、搬送方向撮像範囲Ｗとスペクトル画像Ｑとの関係を説明するための説明図である。図１０，１２では、錠剤画素Ｑｂとして抽出された画素を斜線で示している。
【０１００】
尚、錠剤画素Ｑｂの抽出方法は、これに限られるものではなく、他の方法を採用してもよい。例えば、各画素Ｑａ毎にスペクトルデータ（各波長帯域のスペクトル強度）の積算値を算出し、かかる値が予め定めた閾値以上であるか否かを判定することにより、錠剤画素Ｑｂを抽出する構成としてもよい。
【０１０１】
続いて、制御処理装置５４は、ステップＳ１２において錠剤領域特定処理を実行する。本処理によって、検査範囲内の各ポケット部２に収容された１０個の錠剤５の領域を特定する。
【０１０２】
本実施形態では、例えば上記ステップＳ１１で得られた錠剤画素Ｑｂについてラベリング処理を行い、隣接する全ての錠剤画素Ｑｂを同一の錠剤５に属する錠剤画素Ｑｂの連結成分とみなす。
【０１０３】
これにより、１つの連結成分の範囲を所定のポケット部２内に収容された１つの錠剤５に係る錠剤領域として特定することができる（図１０，１２参照）。図１０，１２では、各錠剤５に属する複数の錠剤画素Ｑｂの連結成分（錠剤領域）をそれぞれ太枠により囲んでいる。
【０１０４】
尚、錠剤５の領域特定方法は、これに限られるものではなく、他の方法を採用してもよい。例えば特定の画素を中心とした所定の範囲に含まれる画素を該特定の画素と同一の錠剤５に属する画素と判断するようにしてもよい。
【０１０５】
続いて、制御処理装置５４は、ステップＳ１３において平均スペクトル算出処理を実行する。本処理では、上記ステップＳ１２において特定された各錠剤５の錠剤領域それぞれについて、そこに含まれる複数の錠剤画素Ｑｂのスペクトルデータを用いて、該錠剤５に係る平均スペクトルデータを算出する。
【０１０６】
本実施形態では、１つの錠剤５の錠剤領域に属する複数の錠剤画素Ｑｂ全てのスペクトルデータを平均化し、これを該錠剤５に係る平均スペクトルデータとして算出する。これに限らず、１つの錠剤５の錠剤領域に属する複数の錠剤画素Ｑｂのうちの一部を抽出し、該錠剤画素Ｑｂのスペクトルデータを用いて、該錠剤５に係る平均スペクトルデータを算出する構成としてもよい。
【０１０７】
このように、検査範囲内の各ポケット部２に収容された１０個の錠剤５それぞれに係る平均スペクトルデータ（以下、「スペクトル測定データ」という）が算出されると、制御処理装置５４は、これらを１つの検査範囲に係る測定データとしてまとめて演算結果記憶装置７５に記憶する。
【０１０８】
尚、本実施形態では、１つの錠剤５のスペクトル測定データとして、各波長帯域（バンド番号ｉ＝１〜ｎ）ごとのスペクトル強度Ｖ（ｉ）が記憶される。
【０１０９】
ここで「バンド番号ｉ（１≦ｉ≦ｎ、ｉは自然数）」は、スペクトル測定データに含まれる所定数ｎ個（例えばｎ＝１００バンド）の波長帯域に付された通し番号である。
【０１１０】
続くステップＳ１４において、制御処理装置５４は、演算結果記憶装置７５に設定されたポケット番号カウンタのカウンタ値Ｐに初期値である「１」を設定する。
【０１１１】
尚、「ポケット番号」とは、１つの検査範囲内の１０個のポケット部２にそれぞれ対応して設定された通し番号であり、前記ポケット番号カウンタのカウンタ値Ｐ（以下、単に「ポケット番号カウンタ値Ｐ」という）によりポケット部２の位置を特定することができる（図１０参照）。
【０１１２】
図１０に示す例では、例えば左側列の最上部のポケット部２がポケット番号カウンタ値［１］に対応するポケット部２として設定され、右側列の最下部のポケット部２がポケット番号カウンタ値［１０］に対応するポケット部２として設定されている。
【０１１３】
続いて、制御処理装置５４は、ステップＳ１５において錠剤データ抽出処理を実行する。本処理においては、上記ステップＳ１３において取得した１つの検査範囲に係る測定データ（１０個の錠剤５のスペクトル測定データ）から、現在のポケット番号カウンタ値Ｐ（例えばＰ＝１）に対応するポケット部２に収容された錠剤５のスペクトル測定データを抽出する。
【０１１４】
次に、制御処理装置５４は、ステップＳ１５において抽出した錠剤５のスペクトル測定データについて分析処理を実行する（ステップＳ１６）。ここで、分析処理の流れについて図１３のフローチャートを参照して詳しく説明する。
【０１１５】
まず制御処理装置５４は、ステップＳ３１において、演算結果記憶装置７５に設定されたバンド番号カウンタのカウンタ値Ｉ（以下、単に「バンド番号カウンタ値Ｉ」という）に初期値である「１」を設定する。
【０１１６】
尚、「バンド番号カウンタ値Ｉ」は、上記「バンド番号ｉ」に対応したものであり、分析対象となる波長帯域を特定するためのものである。
【０１１７】
続くステップＳ３２において、制御処理装置５４は、スペクトル判定処理を実行する。本処理においては、上記ステップＳ１５において抽出した錠剤５のスペクトル測定データに含まれるｎ個の波長帯域（バンド番号ｉ＝１〜ｎ）のスペクトル強度Ｖ（ｉ）のうち、現在のバンド番号カウンタ値Ｉにより特定されるバンド番号ｉの波長帯域に係るスペクトル強度Ｖ（ｉ）について、設定データ記憶装置７６に設定されたスペクトル許容範囲テーブルを参照して良否判定を行う。
【０１１８】
スペクトル許容範囲テーブルは、ｎ個の波長帯域（バンド番号ｉ＝１〜ｎ）ごとに、スペクトル強度Ｖ（ｉ）の許容範囲Ｄ（ｉ）を定めたものである。また、スペクトル許容範囲テーブルは、１つの検査範囲内の１０個のポケット部２の位置（ポケット番号カウンタ値Ｐ）にそれぞれ対応して１つずつ設定されている。つまり、本実施形態では、１つの検査範囲に対し、１０個のスペクトル許容範囲テーブルが設定されている。
【０１１９】
従って、本処理においては、現在のポケット番号カウンタ値Ｐに対応するスペクトル許容範囲テーブルを参照して、現在のバンド番号カウンタ値Ｉにより特定されるバンド番号ｉの波長帯域に係るスペクトル強度Ｖ（ｉ）が、該バンド番号ｉの波長帯域に対応する許容範囲Ｄ（ｉ）内であるか否かを判定することとなる。
【０１２０】
そして、制御処理装置５４は、その判定結果（「良」又は「不良」）を演算結果記憶装置７５に記憶する。
【０１２１】
尚、検査開始時のスペクトル許容範囲テーブルには、検査開始前に予め取得した所定個数（例えば２００個）の良品のＰＴＰシート１の錠剤５に係るスペクトル測定データを基に算出した各波長帯域ごとの許容範囲Ｄ（ｉ）が設定されている。
【０１２２】
その後、制御処理装置５４は、ステップＳ３３において現在のバンド番号カウンタ値Ｉに「１」を加えた後、ステップＳ３４へ移行し、新たに設定したバンド番号カウンタ値Ｉが最大値ｎ（スペクトル測定データに含まれる波長帯域数ｎ）を超えているか否かを判定する。
【０１２３】
ここで否定判定された場合には、再度、ステップＳ３２へ戻り、上記一連の処理を実行する。一方、肯定判定された場合には、すべての波長帯域のスペクトル強度Ｖ（ｉ）について良否判定が行われたとみなし、本処理を終了する。
【０１２４】
図１１のフローチャートに示す検査ルーチンの説明に戻り、制御処理装置５４は、ステップＳ１７において錠剤良否判定処理を実行する。
【０１２５】
本処理においては、上記ステップＳ１６の分析処理における分析結果を基に、現在のポケット番号カウンタ値Ｐ（例えばＰ＝１）に対応するポケット部２に収容された錠剤５が良品（同品種）であるか、不良（異品種）であるか判定する。
【０１２６】
具体的には、錠剤５のスペクトル測定データに含まれるｎ個の波長帯域（バンド番号ｉ＝１〜ｎ）のスペクトル強度Ｖ（ｉ）のうち、「不良」判定されたものが１つも存在しない場合には、該錠剤５を「良」と判定する。一方、「不良」判定されたものが１つでも存在する場合には、該錠剤５を「不良」と判定する。
【０１２７】
そして、制御処理装置５４は、該錠剤５に係る判定結果（「良」又は「不良」）を演算結果記憶装置７５に記憶する。従って、上記ステップＳ１６の分析処理、及び、上記ステップＳ１７の錠剤良否判定処理により、本実施形態における判定工程が構成され、これらを実行する制御処理装置５４の処理機能により、本実施形態における判定手段が構成されることとなる。
【０１２８】
その後、制御処理装置５４は、ステップＳ１８において現在のポケット番号カウンタ値Ｐに「１」を加えた後、ステップＳ１９へ移行し、新たに設定したポケット番号カウンタ値Ｐが最大値Ｐｍａｘを超えているか否かを判定する。尚、最大値Ｐｍａｘは、１つの検査範囲におけるポケット部２の個数の最大値（本実施形態では「１０」）である。
【０１２９】
ここで否定判定された場合には、再度、ステップＳ１５へ戻り、上記一連の処理を実行する。一方、肯定判定された場合には、すべてのポケット部２に係る錠剤５の良否判定が終了したとみなし、ステップＳ２０へ移行する。
【０１３０】
続くステップＳ２０において、制御処理装置５４は、シート良否判定処理を実行する。本処理においては、上記ステップＳ１７の錠剤良否判定処理における判定結果を基に、検査範囲に対応するＰＴＰシート１が良品であるか、不良品であるか判定する。
【０１３１】
具体的には、検査範囲内に「不良」判定された錠剤５が１つでも存在する場合には、該検査範囲に対応するＰＴＰシート１を「不良品」と判定し、ステップＳ２１へ移行する。
【０１３２】
一方、検査範囲内に「不良」判定された錠剤５が１つも存在しない場合には、該検査範囲に対応するＰＴＰシート１を「良品」と判定し、ステップＳ２２へ移行する。
【０１３３】
そして、制御処理装置５４は、ステップＳ２１の不良品処理において、該ＰＴＰシート１に係る「不良品」判定結果を演算結果記憶装置７５に記憶すると共に、その旨をＰＴＰ包装機１０の不良シート排出機構等へ出力し、検査ルーチンを終了する。
【０１３４】
一方、制御処理装置５４は、ステップＳ２２の良品処理において、まず該ＰＴＰシート１（検査範囲）に係る「良品」判定結果を演算結果記憶装置に記憶する。同時に、制御処理装置５４は、該ＰＴＰシート１に係る測定データ（１０個の錠剤５のスペクトル測定データ）を、演算結果記憶装置７５に設定された良品データ記憶部に記憶する。
【０１３５】
尚、「良品データ記憶部」は、検査が行われる毎に、「良品」と判定されたＰＴＰシート１に係る測定データを時系列で順次記憶可能に構成された記憶手段であり、本実施形態における「スペクトルデータ記憶手段」に相当する。従って、良品データ記憶部に対し、ＰＴＰシート１に係る測定データを記憶する処理により、本実施形態におけるスペクトルデータ記憶工程が構成されることとなる。
【０１３６】
続いて、制御処理装置５４は、テーブル変更処理を実行する。尚、かかるテーブル変更処理は、設定データ記憶装置７６に設定された上記スペクトル許容範囲テーブルの内容を変更するための処理である。ここで、テーブル変更処理の流れについて図１４のフローチャートを参照して詳しく説明する。
【０１３７】
制御処理装置５４は、まずステップＳ４１において良品データ抽出処理を実行する。本処理においては、演算結果記憶装置７５の良品データ記憶部に時系列に記憶された直近の所定数ｍ個（例えばｍ＝２００個）の良品のＰＴＰシート１に係る測定データ（以下、「良品データ」という）を抽出する。
【０１３８】
つまり、今回の良品処理（ステップＳ２２）において、最新の良品データが記憶された良品データ記憶部の所定アドレス位置を基準に、過去ｍ個分の良品データが記憶されているｍ個のアドレス位置の内容が読み出される。
【０１３９】
続くステップＳ４２において、制御処理装置５４は、ポケット番号カウンタ値Ｐに初期値である「１」を設定する。
【０１４０】
次に、制御処理装置５４は、ステップＳ４３においてテーブル再設定処理を実行する。本処理においては、まず上記ステップＳ４１において抽出したｍ個の良品データそれぞれから、現在のポケット番号カウンタ値Ｐ（例えばＰ＝１）に対応するポケット部２に収容された錠剤５のスペクトル測定データを抽出する。
【０１４１】
続いて、制御処理装置５４は、抽出されたｍ個の錠剤５のスペクトル測定データ（良品番号ｊ＝１〜ｍ）を基に、各波長帯域（バンド番号ｉ＝１〜ｎ）ごとのスペクトル強度Ｖ（ｉ，ｊ）の平均値である平均スペクトル強度μ（ｉ）を算出すると共に、各波長帯域ごとのスペクトル強度Ｖ（ｉ，ｊ）の標準偏差σ（ｉ）を算出する（図１５参照）。
【０１４２】
ここで、良品番号ｊ（１≦ｊ≦ｍ、ｊは自然数）は、上記ステップＳ４１において抽出したｍ個の良品データに付された通し番号である。
【０１４３】
尚、図１５では、良品番号［１］〜［５］の良品データにおける、バンド番号［１］〜［３］の波長帯域に係るスペクトル強度Ｖ（ｉ，ｊ）を抜粋して例示すると共に、これらを用いて算出した平均スペクトル強度μ（ｉ）及び標準偏差σ（ｉ）を例示している。
【０１４４】
ここで、平均スペクトル強度μ（ｉ）を算出する処理が本実施形態における平均値算出工程に相当し、これを実行する制御処理装置５４の処理機能により、本実施形態における平均値算出手段が構成されることとなる。
【０１４５】
また、標準偏差σ（ｉ）を算出する処理が本実施形態における標準偏差算出工程に相当し、これを実行する制御処理装置５４の処理機能により、本実施形態における標準偏差算出手段が構成されることとなる。
【０１４６】
そして、制御処理装置５４は、上記のように算出した各波長帯域ごとの平均スペクトル強度μ（ｉ）及び標準偏差σ（ｉ）を基に、波長帯域（バンド番号ｉ＝１〜ｎ）ごとに、該波長帯域のスペクトル強度Ｖ（ｉ）を判定するための閾値Ｌ（ｉ）〔上限閾値Ｌａ（ｉ）及び下限閾値Ｌｂ（ｉ）〕を算出する。本実施形態では、下記式（１）を基に閾値Ｌ（ｉ）を算出する。
【０１４７】
Ｌ（ｉ）＝μ（ｉ）±Ｋ×σ（ｉ）  ・・・（１）
但し、
Ｌ（ｉ）：バンド番号ｉの波長帯域に係る閾値、
Ｋ      ：係数、
μ（ｉ）：バンド番号ｉの波長帯域に係る平均スペクトル強度、
σ（ｉ）：バンド番号ｉの波長帯域に係るスペクトル強度の標準偏差。
【０１４８】
つまり、上限閾値Ｌａ（ｉ）及び下限閾値Ｌｂ（ｉ）は、それぞれ下記式（２），（３）で表すことができる。
【０１４９】
Ｌａ（ｉ）＝μ（ｉ）＋Ｋ×σ（ｉ）  ・・・（２）
Ｌｂ（ｉ）＝μ（ｉ）−Ｋ×σ（ｉ）  ・・・（３）
従って、上記閾値Ｌ（ｉ）を算出する処理が本実施形態における閾値算出工程に相当し、これを実行する制御処理装置５４の処理機能により、本実施形態における閾値算出手段が構成されることとなる。
【０１５０】
続いて、制御処理装置５４は、波長帯域（バンド番号ｉ＝１〜ｎ）ごとに、上記のように算出した上限閾値Ｌａ（ｉ）が最大許容値Ｄｍａｘよりも小さいか否かを判定する。尚、最大許容値Ｄｍａｘは、製品として許容できる限界値、すなわち上記許容範囲Ｄ（ｉ）として設定できる最大値であり、設定データ記憶装置７６に予め設定されている。
【０１５１】
ここで、上限閾値Ｌａ（ｉ）が最大許容値Ｄｍａｘよりも小さい場合には、設定データ記憶装置７６に現在設定されている現在のポケット番号カウンタ値Ｐに対応するスペクトル許容範囲テーブルにおける、バンド番号ｉの波長帯域に係る許容範囲Ｄ（ｉ）の上限値として上限閾値Ｌａ（ｉ）を設定する。
【０１５２】
一方、上限閾値Ｌａ（ｉ）が最大許容値Ｄｍａｘ以上である場合には、上記許容範囲Ｄ（ｉ）の上限値として最大許容値Ｄｍａｘを設定する。
【０１５３】
同様に、制御処理装置５４は、波長帯域（バンド番号ｉ＝１〜ｎ）ごとに、上記のように算出した下限閾値Ｌｂ（ｉ）が最小許容値Ｄｍｉｎよりも大きいか否かを判定する。尚、最小許容値Ｄｍｉｎは、製品として許容できる限界値、すなわち上記許容範囲Ｄ（ｉ）として設定できる最小値であり、設定データ記憶装置７６に予め設定されている。
【０１５４】
ここで、下限閾値Ｌｂ（ｉ）が最小許容値Ｄｍｉｎよりも大きい場合には、設定データ記憶装置７６に現在設定されている現在のポケット番号カウンタ値Ｐに対応するスペクトル許容範囲テーブルにおける、バンド番号ｉの波長帯域に係る許容範囲Ｄ（ｉ）の下限値として下限閾値Ｌｂ（ｉ）を設定する。
【０１５５】
一方、下限閾値Ｌｂ（ｉ）が最小許容値Ｄｍｉｎ以下である場合には、上記許容範囲Ｄ（ｉ）の下限値として最小許容値Ｄｍｉｎを設定する。
【０１５６】
このように、現在のポケット番号カウンタ値Ｐに対応するスペクトル許容範囲テーブルにおける各波長帯域の許容範囲Ｄ（ｉ）の上限値及び下限値の再設定が終了すると、制御処理装置５４は、ステップＳ４４へ移行する。
【０１５７】
ここで、各波長帯域の許容範囲Ｄ（ｉ）の上限値及び下限値を再設定する一連の処理が本実施形態における変更工程に相当し、これを実行する制御処理装置５４の処理機能により、本実施形態における変更手段が構成されることとなる。
【０１５８】
その後、制御処理装置５４は、ステップＳ４４において現在のポケット番号カウンタ値Ｐに「１」を加えた後、ステップＳ４５へ移行し、新たに設定したポケット番号カウンタ値Ｐが最大値Ｐｍａｘを超えているか否かを判定する。
【０１５９】
ここで否定判定された場合には、再度、ステップＳ４３へ戻り、上記一連の処理を実行する。一方、肯定判定された場合には、ポケット番号［１］〜［１０］すべてのポケット部２に係るスペクトル許容範囲テーブルが再設定されたとみなし、本テーブル変更処理を終了する。
【０１６０】
そして、制御処理装置５４は、テーブル変更処理の終了後、ステップＳ２２の良品処理を終了し、検査ルーチンを終了する。
【０１６１】
以上詳述したように、本実施形態によれば、分光分析を利用した異品種混入検査等を連続して実行しつつ、直近の所定数ｍ個の良品のＰＴＰシート１に係る分光分析結果をフィードバックして、錠剤５のスペクトル測定データの良否判定を行うためのスペクトル許容範囲テーブル〔波長帯域ごとのスペクトル強度Ｖ（ｉ）の許容範囲Ｄ（ｉ）〕を随時変更していくことができる。
【０１６２】
これにより、検査装置２２や錠剤５の経時的変化等に対応して、検査時において、より適したスペクトル許容範囲テーブルで、検査に係る錠剤５のスペクトル測定データの良否判定を行うことができる。
【０１６３】
結果として、予め許容範囲Ｄ（ｉ）の幅を比較的大きく設定しておく必要もなく、錠剤５に係る良品錯誤率の上昇を抑えつつ、不良品錯誤率の上昇を抑えることが可能となり、検査精度の向上を図ることができる。
【０１６４】
さらに、本実施形態では、各波長帯域ごとにスペクトル強度Ｖ（ｉ）の許容範囲Ｄ（ｉ）が設定されると共に、該許容範囲Ｄ（ｉ）を各波長帯域ごとに変更可能な構成となっている。これにより、検査装置２２や錠剤５の経時的変化等に対し、各波長帯域ごとに、より細かく対応することが可能となり、さらなる検査精度の向上を図ることができる。
【０１６５】
また、本実施形態では、１つのＰＴＰシート１（検査範囲）内の１０個のポケット部２の位置にそれぞれ対応して１つずつスペクトル許容範囲テーブルが設定され、これらを基に、各ポケット部２に係る錠剤５の良否判定が行われる構成となっている。
【０１６６】
加えて、良品データ記憶部においては、各ポケット部２に係る錠剤５のスペクトル測定データが個別に記憶され、上記テーブル変更処理においては、平均スペクトル強度μ（ｉ）の算出処理、標準偏差σ（ｉ）の算出処理、閾値Ｌ（ｉ）の算出処理、許容範囲Ｄ（ｉ）の再設定処理などが、各ポケット部２ごとに個別に実行される構成となっている。
【０１６７】
結果として、照明装置５２から照射される近赤外光の輝度ムラや、撮像素子６５を構成する複数の受光素子６４の特性に基づく感度のばらつき等の影響を低減することができると共に、検査装置２２や錠剤５の経時的変化等に対し、各ポケット部２ごとに、より細かく対応することが可能となり、さらなる検査精度の向上を図ることができる。
【０１６８】
尚、上記実施形態の記載内容に限定されず、例えば次のように実施してもよい。勿論、以下において例示しない他の応用例、変更例も当然可能である。
【０１６９】
（ａ）上記実施形態では、内容物が錠剤５である場合について具体化しているが、内容物の種別、形状等については特に限定されるものではなく、例えばカプセル剤やサプリメント、食品等であってもよい。また、錠剤には素錠や糖衣錠などの固形製剤が含まれる。
【０１７０】
（ｂ）容器フィルム３やカバーフィルム４の材料は、上記実施形態に限定されるものではなく、他の材質のものを採用してもよい。例えば容器フィルム３がアルミラミネートフィルムなど、アルミニウムを主材料とした金属材料により形成された構成としてもよい。
【０１７１】
（ｃ）ＰＴＰシート１におけるポケット部２の配列や個数に関しては、上記実施形態に何ら限定されるものではない。例えば３列１２個のポケット部を有するタイプをはじめ、様々な配列、個数からなるＰＴＰシートを採用することができる。
【０１７２】
（ｄ）上記実施形態では、ポケット部２に錠剤５が充填された後工程かつ容器フィルム３に対しカバーフィルム４が取着される前工程において、検査装置２２による異品種混入検査が行われる構成となっている。
【０１７３】
これに限らず、例えば容器フィルム３に対しカバーフィルム４が取着された後工程かつＰＴＰフィルム６からＰＴＰシート１が打抜かれる前工程において、ＰＴＰフィルム６の容器フィルム３側からポケット部２越しに、検査装置２２による異品種混入検査が行われる構成としてもよい。
【０１７４】
また、ＰＴＰフィルム６からＰＴＰシート１が打抜かれた後工程において、コンベア３９によって搬送されているＰＴＰシート１の容器フィルム３側からポケット部２越しに、検査装置２２による異品種混入検査が行われる構成としてもよい。
【０１７５】
この際、検査装置２２がＰＴＰ包装機１０内に設けられた構成（インライン）に代えて、ＰＴＰ包装機１０とは別に、オフラインでＰＴＰシート１を検査する装置として検査装置２２を備えた構成としてもよい。また、かかる場合に、ＰＴＰシート１を搬送可能な搬送手段を検査装置２２に備えた構成としてもよい。
【０１７６】
また、ポケット部２に錠剤５が充填される前工程において、検査装置２２による異品種混入検査が行われる構成としてもよい。例えば錠剤充填装置２１に錠剤５を投入する前段階に検査を行う構成としてもよい。つまり、ＰＴＰ包装機１０とは別に、オフラインで錠剤５を検査する装置として検査装置２２を備えた構成としてもよい。
【０１７７】
尚、オフラインで検査を行う場合には、ＰＴＰシート１や錠剤５を連続搬送せず、停止した状態で検査を行う構成としてもよい。但し、ＰＴＰシート１、又は、ＰＴＰフィルム６若しくは容器フィルム３を連続搬送しつつ、インラインで検査を実行した方が生産性の向上を図る上では好ましい。
【０１７８】
近年、ＰＴＰシート１の製造分野などにおいては、生産速度の高速化に伴い、異品種混入検査など各種検査の高速化が求められている。例えばＰＴＰ包装機１０上で検査を行う場合には、１秒当たり１００個以上の錠剤５を検査することが求められる場合もある。
【０１７９】
（ｅ）照明装置５２及び撮像装置５３の構成は上記実施形態に限定されるものではない。例えば二次元分光器６２に代えて、分光手段として反射型回折格子やプリズム等を採用した構成としてもよい。
【０１８０】
（ｆ）上記実施形態では、ステップＳ３２のスペクトル判定処理において、錠剤５のスペクトル測定データに含まれるｎ個（例えばｎ＝１００バンド）すべての波長帯域のスペクトル強度Ｖ（ｉ）がそれぞれ許容範囲Ｄ（ｉ）内にあるか否かを判定することにより、該錠剤５について良否判定を行う構成となっている。
【０１８１】
これに限らず、錠剤５のスペクトル測定データに含まれるｎ個（例えばｎ＝１００バンド）の波長帯域のうちのＮ個（Ｎは１以上の自然数。例えばＮ＝３０バンド）の特定波長帯域におけるスペクトル強度がそれぞれ許容範囲内にあるか否かを判定することにより、該錠剤５について良否判定を行う構成としてもよい。
【０１８２】
（ｇ）上記実施形態では、ステップＳ４３のテーブル再設定処理において、ｍ個の良品の錠剤５に係るスペクトル測定データ（良品番号ｊ＝１〜ｍ）を基に、各波長帯域（バンド番号ｉ＝１〜ｎ）ごとのスペクトル強度Ｖ（ｉ，ｊ）の平均値である平均スペクトル強度μ（ｉ）を算出すると共に、各波長帯域ごとのスペクトル強度Ｖ（ｉ，ｊ）の標準偏差σ（ｉ）を算出し、各波長帯域ごとの平均スペクトル強度μ（ｉ）及び標準偏差σ（ｉ）を基に、各波長帯域ごとに、該波長帯域のスペクトル強度Ｖ（ｉ）を判定するための閾値Ｌ（ｉ）〔上限閾値Ｌａ（ｉ）及び下限閾値Ｌｂ（ｉ）〕を算出する構成となっている。
【０１８３】
閾値Ｌ（ｉ）を算出する方法は、これに限定されるものではない。少なくとも各波長帯域ごとの平均スペクトル強度μ（ｉ）に基づいて算出する構成となっていればよい。
【０１８４】
例えば平均スペクトル強度μ（ｉ）より所定値だけ大きな値を上限閾値Ｌａ（ｉ）として算出し、平均スペクトル強度μ（ｉ）より所定値だけ小さい値を下限閾値Ｌｂ（ｉ）として算出する構成としてもよい。
【０１８５】
（ｈ）上記実施形態では、ステップＳ４３のテーブル再設定処理において、閾値Ｌ（ｉ）として、上限閾値Ｌａ（ｉ）及び下限閾値Ｌｂ（ｉ）を算出し、各波長帯域の許容範囲Ｄ（ｉ）の上限値及び下限値の再設定を行う構成となっている。
【０１８６】
これに限らず、上限閾値Ｌａ（ｉ）又は下限閾値Ｌｂ（ｉ）の一方を算出し、各波長帯域の許容範囲Ｄ（ｉ）の上限値又は下限値の再設定のみを行う構成としてもよい。また、許容範囲Ｄ（ｉ）が１つの閾値により定まる構成としてもよい。
【０１８７】
（ｉ）上記実施形態では、許容範囲Ｄ（ｉ）の上限値がとり得る限界値として最大許容値Ｄｍａｘが設定されると共に、許容範囲Ｄ（ｉ）の下限値がとり得る限界値として最小許容値Ｄｍｉｎが設定され、ステップＳ４３のテーブル再設定処理を実行するにあたり、最大許容値Ｄｍａｘを超える上限値や、最小許容値Ｄｍｉｎ未満の下限値が設定されない構成となっている。
【０１８８】
これに限らず、限界値を設けず、平均スペクトル強度μ（ｉ）及び標準偏差σ（ｉ）を基に算出した閾値Ｌ（ｉ）〔上限閾値Ｌａ（ｉ）及び下限閾値Ｌｂ（ｉ）〕がそのまま許容範囲Ｄ（ｉ）の上限値及び下限値として設定される構成としてもよい。
【０１８９】
（ｊ）ステップＳ４３のテーブル再設定処理を実行するにあたり、演算結果記憶装置７５の良品データ記憶部に時系列に記憶された直近のｍ個の良品の錠剤５に係るスペクトル測定データのうち、所定のスペクトル測定データ又は時系列的に連続した所定のスペクトル測定データ群よりも、時系列的により直近のスペクトル測定データ又は時系列的に連続しかつ時系列的により直近のスペクトル測定データ群の反映される割合が大きくなるよう、所定の重み付け処理を実行する構成としてもよい。かかる処理を実行する機能により本実施形態における重み付け手段が構成されることとなる。
【０１９０】
（ｋ）上記実施形態では、１つのＰＴＰシート１（検査範囲）内の１０個のポケット部２の位置にそれぞれ対応して１つずつスペクトル許容範囲テーブルが設定され、これらを基に各ポケット部２に係る錠剤５の良否判定が個別に行われる構成となっている。
【０１９１】
これに限らず、１つのＰＴＰシート１（検査範囲）内の１０個のポケット部２すべての位置に共通するスペクトル許容範囲テーブルが１つだけ設定され、これを基に各ポケット部２に係る錠剤５の良否判定が行われる構成としてもよい。
【０１９２】
そして、上記テーブル変更処理においては、１０個のポケット部２すべての錠剤５のスペクトル測定データを用いて、平均スペクトル強度μ（ｉ）、標準偏差σ（ｉ）、閾値Ｌ（ｉ）を算出し、許容範囲Ｄ（ｉ）の再設定処理を行う構成としてもよい。
【０１９３】
（ｌ）上記実施形態では、特に言及しなかったが、検査開始当初において、演算結果記憶装置７５の良品データ記憶部に未だ所定数ｍ個の良品データが記憶されていない場合には、上記テーブル変更処理を実行するにあたり、不足分として、検査開始前に取得した良品データを代用する構成としてもよい。
【０１９４】
また、演算結果記憶装置７５の良品データ記憶部に所定数ｍ個の良品データが記憶されるまでは、上記テーブル変更処理を実行せず、検査開始前に設定したスペクトル許容範囲テーブルを基に良否判定を行う構成としてもよい。
【符号の説明】
【０１９５】
１…ＰＴＰシート、２…ポケット部、３…容器フィルム、４…カバーフィルム、５…錠剤、１０…ＰＴＰ包装機、２２…検査装置、５２…照明装置、５３…撮像装置、５４…制御処理装置、６２…二次元分光器、６３…カメラ、６４…受光素子、６５…撮像素子、７４…画像データ記憶装置、７６…設定データ記憶装置、Ｈ…分光スペクトル。
【図１】
2019174328.tif 000003
【図２】
2019174328.tif 000004
【図３】
2019174328.tif 000005
【図４】
2019174328.tif 000006
【図５】
2019174328.tif 000007
【図６】
2019174328.tif 000008
【図７】
2019174328.tif 000009
【図８】
2019174328.tif 000010
【図９】
2019174328.tif 000011
【図１０】
2019174328.tif 000012
【図１１】
2019174328.tif 000013
【図１２】
2019174328.tif 000014
【図１３】
2019174328.tif 000015
【図１４】
2019174328.tif 000016
【図１５】
2019174328.tif 000017